(57)【要約】【課題】熱交換装置本体の上面もしくは下面の点検口から、熱交換素子ユニットと複数のファンを一体にしたファンユニットすることで、メンテナンス作業を容易にすることを目的とする。【解決手段】本体ケース１内に設けられた排気用ファン６および給気用ファン７と、複数の熱交換素子１１を室内空気の吐出口と外気の吐出口の境界部分（以降、吐出口境界部１１ｃ）を対向させて配置して一体とした熱交換素子ユニット１２を備えた熱交換装置であって、排気用ファン６と給気用ファン７を一体のユニットにしたファンユニット１３を形成したことにより、メンテナンス時に、排気用ファン６および給気用ファン７を各々分割して外すことなく、一体のユニットにしたファンユニット１３とすることで、メンテナンス作業を容易にする熱交換装置を提供できる。【選択図】図２
2012098018.tif 000002
【特許請求の範囲】
【請求項１】
室内空気を吸い込む内気口とその吸い込んだ空気を外部に排出する排気口および外気空気を吸い込む外気口とその吸い込んだ外気を室内に供給する給気口を有する本体ケースと、この本体ケース内に設けられた室内空気用の第１送風ファンおよび外気用の第２送風ファンと、
前記本体ケース内において、複数の板体をそれぞれ所定間隔を離した状態で重合させた熱交換素子とで構成され、
この熱交換素子の前記板体の間に室内空気、外気を交互に通じて熱交換を行う熱交換装置であって、
前記熱交換素子は、室内空気の吐出口と外気の吐出口とが隣接して設けられ、
複数の前記熱交換素子を室内空気の吐出口と外気の吐出口の境界部分（以降、吐出口境界部）を対向させて配置して一体とした熱交換素子ユニットを設け、
さらに、第１送風ファンと第２送風ファンを一体のユニットにしたファンユニットとし、前記本体ケース上面もしくは下面に設けた開口部から前記熱交換素子ユニットと前記ファンユニットを取り出せるように構成した熱交換装置。
【請求項２】
前記開口部から前記熱交換素子ユニット、前記ファンユニットの順番で前記本体ケース上面もしくは下面の前記開口部から取り出せるように構成した請求項１に記載の熱交換装置。
【請求項３】
前記ファンユニットが前記熱交換素子ユニットに向かって水平にスライドするファンユニットレールを設けたことを特徴とした請求項１または２に記載の熱交換装置。
【請求項４】
前記第１送風ファンの吐出口の開口面が前記ファンユニットのスライド方向に平行になるように配置した請求項１〜３のいずれか一つに記載の熱交換装置。
【請求項５】
前記第１送風ファンの吐出口にスライド機構部を設けた請求項４に記載の熱交換装置。
【請求項６】
前記スライド機構部に、前記排気口接続面と密着させるおさえ部を設けたことを特徴とする請求項５記載の熱交換装置。
【請求項７】
前記ファンユニットは、室内空気の通風路と外気通風路を仕切るように板状に設けられたモータベースを挟んで第１送風ファンと第２送風ファンを一体のユニットにした請求項１〜６いずれか一つに記載の熱交換装置。
【請求項８】
前記本体ケースの内奥側面と前記ファンユニットを固定するファンユニット固定部を設けたことを特徴とする請求項７記載の熱交換装置。
【請求項９】
前記ファンユニット固定部として、固定ベース部と回転部を備えたことを特徴とする請求項８記載の熱交換装置。
【請求項１０】
前記回転部は、その断面をくの字型に形成したレール状の金具であり、
その折り曲げ部を軸として回動できるように前記固定ベース部に固定され、
前記モータベースの端部で前記回転部の一方の面を前記本体ケースの内奥側面側に押し付けることによって、前記回転部の他方の面が前記モータベースを鉛直方向に押し付けて固定する請求項９記載の熱交換装置。
【請求項１１】
前記熱交換素子ユニットを前記ファンユニット方向へ押し付けながら前記本体ケース内に保持する素子ユニット保持部を備えたことを特徴とする請求項１記載の熱交換装置。
【請求項１２】
前記素子ユニット保持部は、前記熱交換素子ユニットの荷重を支える素子ユニット支え面と前記素子ユニット保持部を固定するユニット保持固定部と水平面に対し平行に回転軸をもつユニット保持回転部を備えたことを特徴とする請求項１１記載の熱交換装置。
【請求項１３】
前記素子ユニット保持部は、前記素子ユニット支え面と前記ユニット保持固定部と水平面に対し平行にスライドするユニット保持スライド部を備えたことを特徴とする請求項１１記載の熱交換装置。
【請求項１４】
前記素子ユニット保持部は、前記素子ユニット支え面と前記ユニット保持固定部と水平面に対し鉛直に回転軸をもつユニット保持回転部を備えたことを特徴とする請求項１１記載の熱交換装置。
【発明の詳細な説明】
【技術分野】
【０００１】
本発明は、室内換気を室内空気と屋外空気をファンモーターによる送風と熱交換素子によって、省エネルギーでおこなうにあたり、屋外からの給気と室内からの排気をダクトを介して行なう熱交換装置において、給気用の送風ファンと排気用の送風ファンのメンテナンスに関する。
【背景技術】
【０００２】
熱交換装置の従来例として図１３〜図１４を参照しながら説明する。図１３および図１４に示すように、熱交換装置の本体１００は下面に点検カバー１０１を、一つの側面に室内吸込口１０２と室内吹出口１０３と、別の側面に屋外吸込口１０４と屋外吹出口１０５を有している。また、中央部分には、電動機１０８に装着した排気用羽根１０６と給気用羽根１０７が設けられている。排気用羽根１０６の外側に排気用ファンケーシング１０９、給気用羽根１０７の外側に給気用ファンケーシング１１０とが設けられている。そして、Ｌ字の風路を有する板体を複数枚積層して構成された複数の熱交換素子１１１が排気用ファンケーシング１０９および給気用ファンケーシング１１０の外周部に配置されている。給気風路１１４は、屋外吸込口１０４から給気用風路構成板１１２と熱交換素子１１１と給気用羽根１０７および吹出管１１３を通じ室内吹出口１０３に連通している。排気風路１１６は、室内吸込口１０２から排気用風路構成板１１５と熱交換素子１１１と排気用羽根１０６および吹出管１１３を通じ屋外吹出口１０５に連通している。（例えば、特許文献１参照）。
【０００３】
この構成において、電動機１０８や排気用羽根１０６や給気用羽根１０７のメンテナンスをする場合、点検カバー１０１を外し本体１００の内部を露出させ、給気用風路構成板１１２と複数の熱交換素子１１１を外した後、排気用羽根１０６、排気用ファンケーシング１０９、電動機１０８、給気用羽根１０７、給気用ファンケーシング１１０の順に各々取り外す必要がある。
【先行技術文献】
【特許文献】
【０００４】
【特許文献１】特開２００６−３４９２２３号公報
【発明の概要】
【発明が解決しようとする課題】
【０００５】
このような従来の熱交換装置では、熱交換装置本体に取り付けられた給気用の送風ファンと排気用の送風ファンを各々分割して外す必要があり、取り付け工数が多く、構造が複雑になりメンテナンス作業が困難であるという課題がある。
【０００６】
本発明は、このような従来の課題を解決するものであり、熱交換装置本体の点検口から、熱交換素子ユニットと複数のファンを一体にしたファンユニットすることで、メンテナンス作業を容易にする熱交換装置を提供することを目的とする。
【課題を解決するための手段】
【０００７】
そして、この目的を達成するために、室内空気を吸い込む内気口とその吸い込んだ空気を外部に排出する排気口および外気空気を吸い込む外気口とその吸い込んだ外気を室内に供給する給気口を有する本体ケースと、この本体ケース内に設けられた室内空気用の第１送風ファンおよび外気用の第２送風ファンと、前記本体ケース内において、複数の板体をそれぞれ所定間隔を離した状態で重合させた熱交換素子とで構成され、この熱交換素子の前記板体の間に室内空気、外気を交互に通じて熱交換を行う熱交換装置であって、前記熱交換素子は、室内空気の吐出口と外気の吐出口とが隣接して設けられ、複数の前記熱交換素子を室内空気の吐出口と外気の吐出口の境界部分（以降、吐出口境界部）を対向させて配置して一体とした熱交換素子ユニットを設け、さらに、第１送風ファンと第２送風ファンを一体のユニットにしたファンユニットとし、前記本体ケース側面に設けた開口部から前記熱交換素子ユニットと前記ファンユニットを取り出せるようにした構成としたものであり、これにより所期の目的を達成するものである。
【発明の効果】
【０００８】
本発明によれば、室内空気を吸い込む内気口とその吸い込んだ空気を外部に排出する排気口および外気空気を吸い込む外気口とその吸い込んだ外気を室内に供給する給気口を有する本体ケースと、この本体ケース内に設けられた室内空気用の第１送風ファンおよび外気用の第２送風ファンと、前記本体ケース内において、複数の板体をそれぞれ所定間隔を離した状態で重合させた熱交換素子とで構成され、この熱交換素子の前記板体の間に室内空気、外気を交互に通じて熱交換を行う熱交換装置であって、前記熱交換素子は、室内空気の吐出口と外気の吐出口とが隣接して設けられ、複数の前記熱交換素子を室内空気の吐出口と外気の吐出口の境界部分（以降、吐出口境界部）を対向させて配置して一体とした熱交換素子ユニットを設け、さらに、第１送風ファンと第２送風ファンを一体のユニットにしたファンユニットとし、前記本体ケース側面に設けた開口部から前記熱交換素子ユニットと前記ファンユニットを取り出せるようにした構成としたことにより、室内空気用の第１送風ファンおよび外気用の第２送風ファンを各々分割して外す必要が無くメンテナンス作業を容易にすることができるという効果を得ることができる。
【図面の簡単な説明】
【０００９】
【図１】本発明の実施の形態１の熱交換装置の概略構造を示す平面図
【図２】同熱交換装置の概略構造を示す正面図
【図３】同熱交換装置の熱交換素子を示す斜視図
【図４】同熱交換装置の熱交換素子ユニットを示す側面断面図
【図５】同熱交換装置の熱交換素子ユニットを示す正面斜視図
【図６】同熱交換装置の熱交換素子ユニットを示す正面斜視図
【図７】同熱交換装置のファンユニットを示す斜視図（ａ）排気吐出部の詳細図、（ｂ）給気吐出部の詳細図
【図８】同熱交換装置のファンユニット固定部の詳細を示す正面断面図（ａ）固定前の詳細図、（ｂ）固定後の詳細図
【図９】同熱交換装置の素子ユニット保持部の概略構造を示す正面図
【図１０】同熱交換装置の素子ユニット保持部の概略構造を示す正面図
【図１１】同熱交換装置の素子ユニット保持部の概略構造を示す正面図
【図１２】同熱交換装置の素子ユニット保持部の概略構造を示す平面図
【図１３】従来の熱交換装置の概略構造を示す正面図
【図１４】同熱交換装置の概略構造を示す平面図
【発明を実施するための形態】
【００１０】
本発明の請求項１記載の換気装置は、室内空気を吸い込む内気口とその吸い込んだ空気を外部に排出する排気口および外気空気を吸い込む外気口とその吸い込んだ外気を室内に供給する給気口を有する本体ケースと、この本体ケース内に設けられた室内空気用の第１送風ファンおよび外気用の第２送風ファンと、
本体ケース内において、複数の板体をそれぞれ所定間隔を離した状態で重合させた熱交換素子とで構成され、
この熱交換素子の板体の間に室内空気、外気を交互に通じて熱交換を行う熱交換装置であって、
熱交換素子は、室内空気の吐出口と外気の吐出口とが隣接して設けられ、
複数の熱交換素子を室内空気の吐出口と外気の吐出口の境界部分（以降、吐出口境界部）を対向させて配置して一体とした熱交換素子ユニットを設け、
さらに、第１送風ファンと第２送風ファンを一体のユニットにしたファンユニットとし、本体ケース上面もしくは下面に設けた開口部から前記熱交換素子ユニットと前記ファンユニットを取り出せるようにした構成を有する。これにより、複数の熱交換素子とその熱交換素子の室内空気通風路と外気通風路が混ざることなく風路を形成する吐出境界部を配した熱交換素子ユニットと室内空気用の第１送風ファンおよび外気用の第２送風ファンを一体のユニットとしたファンユニットを熱交換装置本体から容易に取り出すことができることとなるので、室内空気用の第１送風ファンおよび外気用の第２送風ファンを各々分割して外す必要が無くメンテナンス作業を容易にすることができるという効果を奏する。
【００１１】
また、開口部から熱交換素子ユニット、ファンユニットの順番で前記本体ケース上面もしくは下面の開口部から取り出せるような構成にしてもよい。これにより、ファンユニットより先に熱交換素子ユニットを熱交換装置本体から取り出すことができることとなる。すなわち、熱交換素子ユニットよりメンテナンス周期が長いファンユニットを開口部から奥にすることで、熱交換素子ユニットのメンテナンス作業時にファンユニットを取り外す必要がなく、メンテナンス作業を容易にすることができるという効果を奏する。
【００１２】
また、ファンユニットが熱交換素子ユニットに向かって水平にスライドするファンユニットレールを設けた構成にしてもよい。これにより、本体ケースから熱交換素子ユニットを取り出したスペースを利用して、本体ケース内でファンユニットがスライドするので、ファンユニットのメンテナンス作業を容易にすることができるという効果を奏する。
【００１３】
また、第１送風ファンの吐出口の開口面が前記ファンユニットのスライド方向に平行になるように配置したものである。このような構成によれば、ファンユニットをファンユニットレールに沿って所定位置に移動すると、第１送風ファンの吐出口の開口面と排気口接続面とが接合し、完全に接合されると第２送風ファンの吐出口の開口面と給気口接続面とが面接合することになり、容易にファンユニットの装着が可能となる。
【００１４】
また、第１送風ファンの吐出口にスライド機構部を設けた構成にしてもよい。これにより、第１送風ファンの吐出口と排気口に通じる風路の接続面が容易にスライドすることができることとなるので、第１送風ファンの吐出口と排気口に通じる風路の接続面でのシール性を保ちながら、ファンユニットのメンテナンス作業を容易にすることができるという効果を奏する。
【００１５】
また、スライド機構部に、排気口接続面と密着させるおさえ部を設けた構成にしてもよい。これにより、第１送風ファンの吐出口と排気口に通じる風路の接続面および第２送風ファンの吐出口と給気口に通じる接続面が容易にシールすることができることとなるので、第１送風ファンの吐出口と排気口に通じる風路の接続面および第２送風ファンの吐出口と給気口に通じる接続面でのシール性を保ちながら、ファンユニットのメンテナンス作業を容易にすることができるという効果を奏する。
【００１６】
また、ファンユニットは、室内空気の通風路と外気通風路を仕切るように板状に設けられたモータベースを挟んで第１送風ファンと第２送風ファンを一体のユニットにした構成としても良い。このような構成によれば、ファンユニットを装着することによって容易に室内空気の通風路と外気通風路を仕切ることができる。
【００１７】
また、本体ケースの内奥側面と前記ファンユニットを固定するファンユニット固定部を設けた構成にしてもよい。これにより、ファンユニット固定部により内奥側面を触ることなく内奥側面とファンユニットを容易に脱着することができることとなるので、ファンユニットのメンテナンス作業を容易にすることができるという効果を奏する。
【００１８】
また、ファンユニット固定部として、固定ベース部と回転部を備えた構成にしてもよい。これにより、回転部によりファンユニットを容易に固定することができることとなるので、ファンユニットのメンテナンス作業を容易にすることができるという効果を奏する。
【００１９】
また、回転部は、その断面をくの字型に形成したレール状の金具であり、その折り曲げ部を軸として回動できるように固定ベース部に固定され、モータベースの端部で回転部の一方の面を前記本体ケースの内奥側面側に押し付けることによって、回転部の他方の面がモータベースを鉛直方向に押し付けて固定するものである。このような構成によれば、容易にファンユニットを本体ケースに固定できるとともに、室内空気の通風路と外気通風路を仕切ることができる。
【００２０】
また、熱交換素子ユニットを前記ファンユニット方向へ押し付けながら前記本体ケース内に保持する素子ユニット保持部を設けた構成にしてもよい。これにより、ファンユニットと熱交換素子ユニットの接続面でのシール性を保つことができるという効果を奏する。
【００２１】
また、素子ユニット保持部は、前記熱交換素子ユニットの荷重を支える素子ユニット支え面と前記素子ユニット保持部を固定するユニット保持固定部と水平面に対し平行に回転軸をもつユニット保持回転部を設けた構成にしてもよい。これにより、ファンユニットと熱交換素子ユニットの接続面でのシール性を確実に保ちながら、熱交換素子ユニットのメンテナンス作業には、熱交換素子ユニットを障害物無く本体内から取り出すことができ、熱交換素子ユニットのメンテナンス作業を容易にすることができるという効果を奏する。
【００２２】
また、前記素子ユニット保持部は、前記素子ユニット支え面と前記ユニット保持固定部と水平面に対し平行にスライドするユニット保持スライド部を設けた構成にしてもよい。これにより、ファンユニットと熱交換素子ユニットの接続面でのシール性を確実に保ちながら、熱交換素子ユニットのメンテナンス作業には、熱交換素子ユニットを障害物無く本体内から取り出すことができ、熱交換素子ユニットのメンテナンス作業を容易にすることができるという効果を奏する。
【００２３】
また、前記素子ユニット保持部は、前記素子ユニット支え面と前記ユニット保持固定部と水平面に対し鉛直に回転軸をもつユニット保持回転部を設けた構成にしてもよい。これにより、ファンユニットと熱交換素子ユニットの接続面でのシール性を確実に保ちながら、熱交換素子ユニットのメンテナンス作業には、熱交換素子ユニットを障害物無く本体内から取り出すことができ、熱交換素子ユニットのメンテナンス作業を容易にすることができるという効果を奏する。
【００２４】
以下、本発明の実施の形態について、図面を参照しながら説明する。
【００２５】
（実施の形態１）
本発明の第１の実施の形態について、図１〜図８を用いて説明する。図１、図２に示すように、本体ケース１の側面１ａには、ダクト等（図示せず）を介して室内で発生した汚染空気を吸い込む内気口２とその吸い込んだ空気を外部に排出する排気口３、および外気空気を吸い込む外気口４とその吸い込んだ外気を室内に供給する給気口５を有している。本実施の形態では、四つの側面１ａのうちの一つに内気口２、給気口５を設け、この面と対向する面に排気口３、外気口４を設けている。また、この本体ケース１の上面１ｄもしくは下面１ｅの少なくとも一面には、点検カバー１ｂを有している。本体ケース１内には室内空気用の第１送風ファンとして排気用羽根６ａと排気用ケーシング６ｂと排気用吐出部６ｄで構成された排気用ファン６が設けられている。同様に、外気用の第２送風ファンとして給気用羽根７ａと給気用ケーシング７ｂと給気用吐出部７ｄで構成された給気用ファン７が設けられている。
【００２６】
さらに本体ケース１内には、排気用ファン６の排気用吐出部６ｄと連通する排気吐出口６ｅと、給気用ファン７の給気用吐出部７ｄと連通する給気吐出口７ｅが設けられている。この排気吐出口６ｅは、排気用ファン６の排気用吐出部６ｄの開口面をスライド摺動して排気用吐出部６ｄと連通し、固定される。図７（ｂ）にも示すように、給気用吐出部７ｄは、給気口５との間に三角形の空間が形成されるように設けられている。その三角形の鋭角となる角の角度は、３０°以下となる。そして、給気側の給気吐出口７ｅは、給気用ファン７の給気用吐出部７ｄと平行で、各々面接合することで、固定される。図７（ａ）に示すように、排気用吐出部６ｄには、おさえ部６ｆが形成されている。スライド摺動した排気用吐出部６ｄと排気吐出口６ｅが合致する際、おさえ部６ｆが排気吐出口６ｅの一部となり、排気用ファン６から吐出した空気が、これらの接合部から漏れない構造となっている。一方、給気用吐出部７ｄは、上記のとおり給気用吐出部７ｄと給気吐出口７ｅが平面接合するので、給気用ファン７から吐出した空気が、これらの接合部から漏れない構造となっている。
【００２７】
そして、排気風路６ｃ（図１および図２において●から○に至る風路経路）は、内気口２と排気用ファン６と排気吐出口６ｅと排気口３を連通して形成されている。また、給気風路７ｃ（図１および図２において■から□に至る風路経路）は、外気口４と給気用ファン７と給気吐出口７ｅと給気口５を連通して形成されている。この排気風路６ｃと給気風路７ｃは、混流しないように風路仕切り８とモータベース９ａによって仕切られている。また、排気風路６ｃと給気風路７ｃの風路には熱交換素子１１を介在させた熱交換素子ユニット１２を配している。
【００２８】
ここで、図３〜図６を用いて、熱交換素子ユニット１２の構造を詳細に説明する。
【００２９】
熱交換素子１１は、Ｌ字状の壁１０ａによりＬ字通風レーン１０ｂを設けた略長方形の複数の板体１０ｃをそれぞれ所定間隔、例えば１〜３ｍｍの間隔で離して重合させたものである。所定間隔に離した板体１０ｃの間には、室内空気と外気の潜熱や顕熱が交互に通じて熱交換を行う熱伝熱板１０ｄがあり、複数の板体１０ｃと熱伝熱板１０ｄを積層して構成されている。
【００３０】
そして熱交換素子１１は、複数の熱交換素子１１を並列に組み合わせても風路構造が複雑にならない熱交換素子ユニット１２となっている。すなわち、熱交換素子１１は、排気風路６ｃに介在し、室内空気を吸い込む素子内気吸込口１１ｅと素子内気吐出口１１ａがあり、また、給気風路７ｃに介在し、外気空気を吸い込む素子外気吸込口１１ｆと素子外気吐出口１１ｂがある。素子内気吐出口１１ａと素子外気吐出口１１ｂは隣接して設けられている。このような複数の熱交換素子１１を、素子内気吐出口１１ａと素子外気吐出口１１ｂの境界部分（以降、吐出口境界部１１ｃ）を対向させて配置して熱交換素子ユニット１２を構成している。対向した熱交換素子１１の吐出口境界部１１ｃ同士は、風路境界板１１ｄで連結されている。また、素子内気吸込口１１ｅの端部同士、素子外気吸込口１１ｆの端部同士は、それぞれ、突出部１１ｇで連結されている。ここで、熱交換素子ユニット１２の排気用ファン６と給気用ファン７側の面をファン側外装面１２ｃとし、反対となる側の面を本体側面側外装面１２ｄとしている。
【００３１】
この熱交換素子ユニット１２は、素子内気吐出口１１ａを有する内気通風路１２ａと素子外気吐出口１１ｂを有する外気通風路１２ｂの２つの風路を有している。内気通風路１２ａは、排気用ファン６に通じ、外気通風路１２ｂは給気用ファン７に通じている。
【００３２】
なお、前述したように複数の熱交換素子１１が用いられているが、図６では、ファン側外装面１２ｃ側の熱交換素子１１は、ファン側外装面１２ｃ側に素子内気吐出口１１ａと素子外気吐出口１１ｂを向けている。すなわち、本体側面側外装面１２ｄ側の熱交換素子１１とファン側外装面１２ｃ側の熱交換素子１１とは、９０°回転した形に配置してもよい。
【００３３】
突出部１１ｇは、本体側面側外装面１２ｄからファン側外装面１２ｃに向かって、内気通風路１２ａと外気通風路１２ｂの各々の断面積が拡大するように傾斜がついた形で構成されている。また、ファン側外装面１２ｃと本体側面側外装面１２ｄの上下面には、取っ手１２ｅがついている。
【００３４】
一方、排気風路６ｃ（図１および図２において●から○に至る風路経路）と、給気風路７ｃ（図１および図２において■から□に至る風路経路）が混流しないように風路仕切り８が設けられている。この風路仕切り８には、その一部としてファンユニットレール８ａを形成している。このファンユニットレール８ａの間に挟まれるように、水平方向にスライド摺動できるモータベース９ａが設けられている。このモータベース９ａには、排気用羽根６ａと給気用羽根７ａを固定し回転駆動させるモータ９ｂと、排気用ファン６の排気用ケーシング６ｂと、給気用ファン７の給気用ケーシング７ｂを固定して、一体のユニットにしたファンユニット１３としている。
【００３５】
図７、図８を用いてファンユニット１３の本体ケース１への固定方法とメンテナンスに関して説明する。
【００３６】
点検カバー１ｂが取り付く面に対し対面となる本体ケース１の内側面となる内奥側面１ｃには、ファンユニット固定部１３ａが設けられている。このファンユニット固定部１３ａは、ファンユニット１３を内奥側面１ｃまで挿入したときにファンユニット１３と内奥側面１ｃがネジ等の固定部材なしに着脱できるものである。さらに詳しく説明する。このファンユニット固定部１３ａは、内奥側面１ｃに固定する固定ベース部１３ｂと、モータベース９ａを保持する回転部１３ｃ、そして、回転部１３ｃの対面側に設けられた受部１３ｄで構成されている。この回転部１３ｃは、断面が「く」の字型のレール状の金具であり、「く」の字の頂点（曲げ部）を固定ベース部１３ｂに軸として固定して回動できるようになっている。この回転部１３ｃの一方の面をファンユニット１３のモータベース９ａの端部で内奥側面１ｃに押し付ける力を加える。すると、固定ベース部１３ｂに設けた軸を中心に回転しながら他方の面がモータベース９ａに対し略垂直方向に力を加える。そして、モータベース９ａを両面から回転部１３ｃと受部１３ｄとで挟んで保持するものである。ここで略垂直方向とは、スライド摺動する水平方向に対し約９０°前後の角度であり、モータベース９ａが回転部１３ｃと受部１３ｄに挟まれスライド摺動が抑制される方向である。
【００３７】
次に、メンテナンスに関して説明する。
【００３８】
図２に示すように、点検カバー１ｂは、本体ケース１の上面１ｄもしくは下面１ｅに設けられている。この点検カバー１ｂを外すと、本体ケース１の上面１ｄ（または下面１ｅ）に開口部１ｆが開口することになる。開口部１ｆには、熱交換素子ユニット１２の取っ手１２ｅが本体ケース１から露出している。本体ケース１内側から開口部１ｆに向かって熱交換素子ユニット１２の取っ手１２ｅを引っ張ると、本体ケース１の外部へ容易に取り出すことができる。
【００３９】
図７〜図８に示すように、本体ケース１から熱交換素子ユニット１２を取り出した後、ファンユニット１３を内奥側面１ｃから熱交換素子ユニット１２を抜いた空間の方向へ引っ張る。すると、ファンユニット１３のモータベース９ａに加わっていた回転部１３ｃの略垂直方向の力が回転しながら解除される。そして、そのまま引っ張ると、ファンユニット１３はファンユニットレール８ａ上をスライド摺動すると同時に、排気用ファン６の排気用吐出部６ｄと排気吐出口６ｅをスライド摺動する。そして、給気用ファン７の給気用吐出部７ｄと給気吐出口７ｅが平面接合から開放され、本体ケース１の熱交換素子ユニット１２の介在していた位置へ移動することができ、ファンユニット１３を開口部１ｆから本体ケース１の外部へ容易に取り出すことができる。
【００４０】
上記構成により、熱交換素子ユニット１２は、ファンユニット１３より先に本体ケース１から容易に取り出すことができる。ファンユニット１３は、その熱交換素子ユニット１２を取り出したスペースまで引き出して、本体ケース１から容易に取り出すことができる。従って、排気用ファン６および給気用ファン７を各々分割して外す必要が無くなる。また、熱交換素子ユニット１２は、ファンユニット１３を取り外さずにメンテナンス作業ができる。一方、ファンユニット１３をメンテナンスする場合は、本体ケース１内でファンユニット１３がスライドするので、メンテナンス作業を容易にすることができることとなる。
【００４１】
また、排気用ファン６の排気用吐出部６ｄと排気吐出口６ｅとがおさえ部６ｆにより、接合面がスライドしながらも容易にシールすることができる。さらに、ファンユニット固定部１３ａの回転部１３ｃによりファンユニット１３を内奥側面１ｃと容易に脱着することができるので、ファンユニット１３が本体に組み込まれた時にはシール性を保ちつつ、ファンユニット１３のメンテナンス作業を容易にすることができることとなる。
【００４２】
図９に示すように、本体ケース１には、本体ケース１の内部に熱交換素子ユニット１２を固定する素子ユニット保持部２１が設けられている。この素子ユニット保持部２１は、熱交換素子ユニット１２の本体側面側外装面１２ｄ側に設けられている。そして、素子ユニット保持部２１の下端側には、熱交換素子ユニット１２を下側から支えるようにＬ字型に素子ユニット支え面２１ａが設けられている。このような構成により、この素子ユニット保持部２１が熱交換素子ユニット１２をファンユニット１３の方向へ力を加えて固定されている。これにより、熱交換素子ユニット１２とファンユニット１３との間の密着度を高めることになる。すなわち、熱交換素子ユニット１２の内気通風路１２ａの空気が他の経路空気と混流することなくファンユニット１３の排気風路６ｃへ流入する。そして、熱交換素子ユニット１２の外気通風路１２ｂの空気が他の経路空気と混流することなくファンユニット１３の給気風路７ｃへ流入することができる。
【００４３】
図１０に示すように、素子ユニット保持部２１は、上端部に水平方向に回転軸を持つユニット保持回転部２３を、素子ユニット支え面２１ａを固定するユニット保持固定部２２を有している。このような構成によれば、点検カバー１ｂを取り外した後、素子ユニット保持部２１を固定しているユニット保持固定部２２（例えば、螺子等）を緩めることにより、水平方向に回転軸を持つユニット保持回転部２３が回転することができる。そして、素子ユニット支え面２１ａを熱交換素子ユニット１２から外すことができ、点検カバー１ｂを取り外した本体ケース１の開口面から障害物無く熱交換素子ユニット１２を容易に取り外すことができる。
【００４４】
また、図１１では、素子ユニット保持部２１は、熱交換素子ユニット１２の保持位置から外気口４側に平行にスライドさせる構造を示す。すなわち、点検カバー１ｂを取り外した後、素子ユニット保持部２１を固定しているユニット保持固定部２２（例えば、螺子等）を緩めることにより、水平面に対し平行にスライドするユニット保持スライド部２４がスライド移動する構造である。このような構造によれば、素子ユニット支え面２１ａを熱交換素子ユニット１２から外すことができ、点検カバー１ｂを取り外した本体ケース１の開口面から障害物なく熱交換素子ユニット１２を容易に取り外すことができる。
【００４５】
また、図１２に示すのは、素子ユニット保持部２１は、その水平方向の端部に、点検カバー１ｂの面に垂直にユニット保持回転部２３を持っているものである。そして、水平方向の反対側の端部には、ユニット保持固定部２２が設けられている。このような構成の熱交換素子ユニット１２の着脱方法について説明する。まず、点検カバー１ｂを取り外した後、素子ユニット保持部２１を固定しているユニット保持固定部２２（例えば、螺子等）を緩める。そして、水平面に対し鉛直に回転軸をもつユニット保持回転部２３で回転させて、素子ユニット支え面２１ａを熱交換素子ユニット１２から外すことになる。従って、点検カバー１ｂを取り外した本体ケース１の開口面から障害物なく熱交換素子ユニット１２を容易に取り外すことができる。
【産業上の利用可能性】
【００４６】
本発明のかかる熱交換装置は、排気用ファンと給気用ファンをファンユニットとして一体化し、メンテナンスを容易にしたもので、非居住の建築物で専門業者がメンテナンスする熱交換装置だけでなく、一般居住の建築物で居住者がメンテナンスする熱交換装置として有用である。
【符号の説明】
【００４７】
１      本体ケース
１ａ    側面
１ｂ    点検カバー
１ｃ    内奥側面
１ｄ    上面
１ｅ    下面
１ｆ    開口部
２      内気口
３      排気口
４      外気口
５      給気口
６      排気用ファン
６ａ    排気用羽根
６ｂ    排気用ケーシング
６ｃ    排気風路
６ｄ    排気用吐出部
６ｅ    排気吐出口
６ｆ    おさえ部
７      給気用ファン
７ａ    給気用羽根
７ｂ    給気用ケーシング
７ｃ    給気風路
７ｄ    給気用吐出部
７ｅ    給気吐出口
８      風路仕切り
８ａ    ファンユニットレール
９ａ    モータベース
９ｂ    モータ
１０ａ  Ｌ字状の壁
１０ｂ  Ｌ字通風レーン
１０ｃ  板体
１０ｄ  熱伝熱板
１１    熱交換素子
１１ａ  素子内気吐出口
１１ｂ  素子外気吐出口
１１ｃ  吐出口境界部
１１ｄ  風路境界板
１１ｅ  素子内気吸込口
１１ｆ  素子外気吸込口
１１ｇ  突出部
１２    熱交換素子ユニット
１２ａ  内気通風路
１２ｂ  外気通風路
１２ｃ  ファン側外装面
１２ｄ  本体側面側外装面
１２ｅ  取っ手
１３    ファンユニット
１３ａ  ファンユニット固定部
１３ｂ  固定ベース部
１３ｃ  回転部
１３ｄ  受部
２１    素子ユニット保持部
２１ａ  素子ユニット支え面
２２    ユニット保持固定部
２３    ユニット保持回転部
２４    ユニット保持スライド部
【図１】
2012098018.tif 000003
【図２】
2012098018.tif 000004
【図３】
2012098018.tif 000005
【図４】
2012098018.tif 000006
【図５】
2012098018.tif 000007
【図６】
2012098018.tif 000008
【図７】
2012098018.tif 000009
【図８】
2012098018.tif 000010
【図９】
2012098018.tif 000011
【図１０】
2012098018.tif 000012
【図１１】
2012098018.tif 000013
【図１２】
2012098018.tif 000014
【図１３】
2012098018.tif 000015
【図１４】
2012098018.tif 000016